(57)【要約】【課題】ＡＦ（自動焦点調節）方式の違いによらず、ライブビュー以外の表示画面からライブビュー画面への遷移をスムーズに行うこと。【解決手段】撮像装置は撮影画像を逐次に表示するライブビュー機能をもつ。可動ミラーのミラーダウン動作を伴う方式のＡＦ制御と該ミラーダウン動作を要しない方式のＡＦ制御が可能であり、ライブビュー画面の表示中にミラーアップしたままライブビュー以外の画面へ遷移可能である。ＡＦ制御の開始指示が行われると（Ｓ１００４）、現時点でのＡＦ方式が判定され（Ｓ１００５）、判定結果がミラーダウン動作を伴うＡＦ方式（例えば位相差検出方式）の場合、ミラーダウン動作を行わずに表示画面がライブビュー画面へ遷移する（Ｓ１００７）。また判定結果がミラーダウン動作を伴わないＡＦ方式（例えばコントラスト方式）の場合、表示画面がライブビュー画面へと遷移し（Ｓ１００６）、ＡＦ制御が行われる（Ｓ１００８）。【選択図】図２
2011114534.tif 000002
【特許請求の範囲】
【請求項１】
撮像素子により撮像した画像をライブビュー表示する第１の表示と画像再生表示またはメニュー表示の少なくともいずれかを表示する第２の表示との間で表示変更が可能な撮像装置であって、
被写体光軸上にある第１の位置および当該被写体光軸から退避した第２の位置に移動可能な可動ミラーと、
前記可動ミラーが前記第１の位置にあって行われる第１の方式の自動焦点調節と前記可動ミラーが前記第２の位置にあって行われる第２の方式の自動焦点調節との少なくともいずれかを選択可能な選択手段と、
自動焦点調節の開始の指示、および前記第２の表示から前記第１の表示への遷移の指示が同一の操作で可能な操作手段と、
前記第１の方式の自動焦点調節が選択されている状態で前記可動ミラーが前記第２の位置にあって前記第２の表示がされているときに、前記操作手段による前記操作があったとしても、前記可動ミラーを動作させずに前記第２の表示から前記第１の表示へと遷移させるように制御する制御手段とを有することを特徴とする撮像装置。
【請求項２】
前記制御手段は、前記第２の方式の自動焦点調節が選択されている状態で前記可動ミラーが第２の位置にあって前記第２の表示がされているとき、前記操作手段による前記操作に応じて、前記第１の表示へと遷移させるとともに前記第２の方式の自動焦点調節の制御を行うことを特徴とする、請求項１に記載の撮像装置。
【請求項３】
撮像素子により撮像した画像をライブビュー表示する第１の表示と画像再生表示またはメニュー表示の少なくともいずれかを表示する第２の表示との間で表示変更が可能な撮像装置であって、
被写体光軸上にある第１の位置および当該被写体光軸から退避した第２の位置に移動可能な可動ミラーと、
前記可動ミラーが前記第１の位置にあって行われる第１の方式の自動焦点調節と前記可動ミラーが前記第２の位置にあって行われる第２の方式の自動焦点調節との少なくともいずれかを選択可能な選択手段と、
自動焦点調節の開始の指示、および前記第２の表示から前記第１の表示への遷移の指示が同一の操作で可能な操作手段と、
前記第１の方式の自動焦点調節が選択されている状態で前記可動ミラーが第２の位置にあって前記第２の表示がされているとき、前記操作手段の操作時間の長さが基準値未満の場合、前記第１の方式に従う自動焦点調節の制御を行わずに前記第１の表示に遷移させるように制御する制御手段とを有することを特徴とする撮像装置。
【請求項４】
前記制御手段は、前記第１の方式の自動焦点調節が選択されている状態で前記可動ミラーが第２の位置にあって前記第２の表示がされているとき、前記操作手段の操作時間の長さが基準値以上の場合、前記可動ミラーを前記第１の位置に移動させて前記第１の方式の自動焦点調節の制御を行うことを特徴とする、請求項３の撮像装置。
【請求項５】
前記制御手段は、前記操作手段により前記指示を受けた時点における自動焦点調節の制御方式が前記第２の方式であると判定した場合、コントラスト方式に従って自動焦点調節の制御を行うことを特徴とする、請求項１から４のいずれか１項に記載の撮像装置。
【請求項６】
前記可動ミラーが前記第１の位置にある状態で該可動ミラーからの光を用いて焦点状態検出を行う焦点状態検出手段を備え、
前記制御手段は、前記操作手段により前記指示を受けた時点における自動焦点調節の制御方式が前記第１の方式であって、かつ前記操作手段が操作されている操作時間の長さが基準値以上であると判定した場合、位相差検出方式に従い前記焦点状態検出手段による検出情報に基づいて自動焦点調節の制御を行うことを特徴とする、請求項３に記載の撮像装置。
【請求項７】
撮像素子により撮像した画像をライブビュー表示する第１の表示と画像再生表示またはメニュー表示の少なくともいずれかを表示する第２の表示との間で表示変更が可能な撮像装置の制御方法であって、
自動焦点調節の開始の指示、および前記第２の表示から前記第１の表示への遷移の指示が同一の操作で可能な操作手段による操作を受け付けるステップと、
可動ミラーが被写体光軸上にある第１の位置にあって行われる第１の方式の自動焦点調節と前記可動ミラーが前記被写体光軸から退避した第２の位置にあって行われる第２の方式の自動焦点調節との少なくともいずれかを選択するステップと、
前記第１の方式の自動焦点調節が選択されている状態で前記可動ミラーが第２の位置にあって前記第２の表示がされているときに、前記操作手段による前記操作があったとしても、前記可動ミラーを動作させずに前記第２の表示から前記第１の表示へと遷移させるように制御するステップを有することを特徴とする撮像装置の制御方法。
【請求項８】
撮像素子により撮像した画像をライブビュー表示する第１の表示と画像再生表示またはメニュー表示の少なくともいずれかを表示する第２の表示との間で表示変更が可能な撮像装置の制御方法であって、
自動焦点調節の開始の指示、および前記第２の表示から前記第１の表示への遷移の指示が同一の操作で可能な操作手段による操作を受け付けるステップと、
可動ミラーが被写体光軸上にある前記第１の位置にあって行われる第１の方式の自動焦点調節と前記可動ミラーが前記被写体光軸から退避した第２の位置にあって行われる第２の方式の自動焦点調節との少なくともいずれかを選択するステップと、
前記第１の方式の自動焦点調節が選択されている状態で前記可動ミラーが前記第２の位置にあって前記第２の表示がされているとき、前記操作手段の操作時間の長さが基準値未満の場合、前記第１の方式に従う自動焦点調節の制御を行わずに前記第１の表示に遷移させるように制御するステップとを有することを特徴とする撮像装置の制御方法。
【発明の詳細な説明】
【技術分野】
【０００１】
本発明は、撮像した画像を逐次に表示する電子ビューファインダ機能を有する撮像装置とその制御方法に関する。
【背景技術】
【０００２】
光学ファインダと並び、撮像素子を用いて撮影範囲の画像情報を取り込み、液晶モニタ等で表示する電子ビューファインダ（以下、ＥＶＦ又はライブビューともいう）の機能をもつ撮像装置が多数提案されている。ＥＶＦの特徴としては、外界の暗さに影響され難いこと、即ち輝度低下時の使用に好適であることや、被写界深度等の確認が容易であり、画像拡大等の加工処理による表示が容易なこと等が挙げられる。
【０００３】
ところでＥＶＦ機能によるライブビュー画面での表示中は、可動ミラーがミラーアップ位置へと移動し、シャッタは開いているため、レンズに入射した光を焦点状態検出センサに導くことができない。そのため、当該センサを用いたオートフォーカス（以下、ＡＦと略記する）処理を行うことができない。そこでＥＶＦ機能による表示中に、ＡＦ開始指示があった場合、ＥＶＦ機能による画像表示を一旦中止すれば、焦点状態検出センサを用いたＡＦ処理が可能となる。そして合焦時点又は使用者が望むタイミングでＥＶＦ機能による表示動作を再開させる提案がなされている（特許文献１参照）。
一方、ＥＶＦ機能による画像表示中に可動ミラーがミラーアップの状態となったままで、ライブビュー以外の画面（例えば、メニュー表示画面や撮影画像の再生画面等）へのスムーズな遷移が可能な撮像装置が存在する。
【先行技術文献】
【特許文献】
【０００４】
【特許文献１】特開２００９−４２３６６号公報
【発明の概要】
【発明が解決しようとする課題】
【０００５】
ライブビュー撮影時には、上記したライブビュー以外の画面からライブビュー画面へ戻るために、ＡＦ開始操作をトリガーとして利用する場合がある。このとき、ミラーダウン動作が不要なＡＦ方式、例えばコントラスト方式のＡＦ（以下、コントラストＡＦという）であれば、スムーズにライブビュー画面へと遷移できる。これはライブビュー画面への遷移後にライブビュー画面を表示したままでＡＦ制御が行われるので、ミラーダウン動作を必要としないからである。
【０００６】
一方、ミラーダウン動作が必要なＡＦ方式、例えば位相差検出方式のＡＦ（以下、位相差検出ＡＦという）の場合、ライブビュー画面へ遷移する前にミラーダウン動作が行われる。その後にＡＦ制御が行われ、ＡＦ制御の終了後にライブビュー画面へと遷移する。このため、ユーザがライブビュー画面への遷移を意図してＡＦ開始操作を行った場合、ＡＦ方式によっては表示画面への遷移に要する時間が長くなる虞がある。例えばライブビュー画面の表示中にユーザがＡＦ開始操作を行う度にミラー動作が発生し、スムーズな画面遷移の妨げとなってしまう。
そこで本発明の目的は、ＡＦ方式の違いによらず、ライブビュー以外の表示画面からライブビュー画面への遷移をスムーズに行うことである。
【課題を解決するための手段】
【０００７】
上記課題を解決するために、本発明に係る装置は、撮像素子により撮像した画像をライブビュー表示する第１の表示と画像再生表示またはメニュー表示の少なくともいずれかを表示する第２の表示との間で表示変更が可能な撮像装置であって、被写体光軸上にある第１の位置および当該被写体光軸から退避した第２の位置に移動可能な可動ミラーと、前記可動ミラーが前記第１の位置にあって行われる第１の方式の自動焦点調節と前記可動ミラーが前記第２の位置にあって行われる第２の方式の自動焦点調節との少なくともいずれかを選択可能な選択手段と、自動焦点調節の開始の指示、および前記第２の表示から前記第１の表示への遷移の指示が同一の操作で可能な操作手段と、前記第１の方式の自動焦点調節が選択されている状態で前記可動ミラーが前記第２の位置にあって前記第２の表示がされているときに、前記操作手段による前記操作があったとしても、前記可動ミラーを動作させずに前記第２の表示から前記第１の表示へと遷移させるように制御する制御手段とを有する。
【発明の効果】
【０００８】
本発明によれば、自動焦点調節方式が可動ミラーの移動を伴う方式の場合でも、前記第２の表示から前記第１の表示への遷移をスムーズに行える。
【図面の簡単な説明】
【０００９】
【図１】本発明の一実施形態に係る撮像装置の構成例を示したブロック図である。
【図２】本発明の第１実施形態における制御例を示すフローチャートである。
【図３】本発明の第２実施形態における制御例を示すフローチャートである。
【発明を実施するための形態】
【００１０】
以下に、本発明の実施形態を添付図面に従って詳細に説明する。なお、本実施形態では、画像表示手段による第１の表示に係る画面がライブビュー機能による撮影画像の表示画面である。またライブビュー表示以外の第２の表示に係る画面として画像再生表示やメニュー表示の画面が挙げられるが、以下では第２の表示の一例としてメニュー表示を説明する。
図１は本発明の一実施形態に係る撮像装置の構成例を示しており、以下では光学ファインダと電子ビューファインダ機能を有する装置例を説明する。本システムは、撮像装置の装置本体１００と、記録媒体２００，２１０と、交換レンズタイプのレンズユニット３００を備える。
【００１１】
まず、装置本体１００の構成について説明する。露光量を制御するシャッタ１２の背後には撮像素子１４が位置し、シャッタ１２を通過して結像された光学像を電気信号に変換する。Ａ／Ｄ変換器１６は撮像素子１４からのアナログ信号をデジタル信号に変換する。タイミング発生部１８は、撮像素子１４、Ａ／Ｄ変換器１６等にクロック信号や制御信号を供給する回路であり、後述のメモリ制御部２２及びシステム制御部５０により制御される。
【００１２】
画像処理部２０は、Ａ／Ｄ変換器１６からのデータ又はメモリ制御部２２からのデータに対して画素補間処理や色変換処理等を行う。また画像処理部２０は必要に応じて、撮像後の画像データを用いて所定の演算処理を行う。後述のシステム制御部５０は、画像処理部２０の演算結果に基づいてシャッタ制御部４０、焦点状態検出部４２を制御し、ＴＴＬ（Ｔｈｒｏｕｇｈ Ｔｈｅ Ｌｅｎｓ）方式のＡＦ処理を行う。画像処理部２０は、さらにＡＥ（自動露出）処理、ＥＦ（フラッシュ調光）処理を行う他、撮像後の画像データを用いて所定の演算処理を行い、演算結果に基づいてＴＴＬ方式のＡＷＢ（オートホワイトバランス）処理も行う。なお本例では焦点状態検出部４２及び測光部４６を専用に備えており、これらを用いて位相差検出ＡＦ処理、ＡＥ処理、ＥＦ処理の各処理を行える。また画像処理部２０を用いたコントラストＡＦ処理、ＡＥ処理、ＥＦ処理の各処理を行うこともできる。焦点状態検出部４２及び測光部４６は後述する光学ファインダの使用時に動作可能になる。
【００１３】
メモリ制御部２２は、Ａ／Ｄ変換器１６、タイミング発生部１８、画像処理部２０、画像表示メモリ２４、Ｄ／Ａ変換器２６、メモリ３０、圧縮伸長部３２を制御する。Ａ／Ｄ変換器１６のデータは、画像処理部２０、メモリ制御部２２を介して、或いはメモリ制御部２２を介して直接、画像表示メモリ２４又はメモリ３０に書き込まれる。
画像表示メモリ２４、Ｄ／Ａ変換器２６、ＬＣＤ等の画像表示部２８はＥＶＦ機能を実現する。画像表示メモリ２４に書き込まれた表示用の画像データはＤ／Ａ変換器２６を介して画像表示部２８に送られて画像表示される。撮像素子１４によって得られた画像信号に基づいて、画像表示部２８は撮影画像を第１の表示画面、つまりライブビュー画面上で逐次に表示する。なお画像表示部２８は、後述するシステム制御部５０の指令に従って表示状態のＯＮ／ＯＦＦ制御が可能であり、表示をＯＦＦ状態にすることで節電効果が得られる。
【００１４】
撮影した静止画像のデータを格納するメモリ３０は、複数枚の静止画像を連続して撮影する場合のデータ記憶手段や、後述のシステム制御部５０の作業領域として使用可能である。
圧縮伸長部３２は適応離散コサイン変換（ＡＤＣＴ）等により画像データを圧縮伸長する。メモリ３０に格納された画像データを読み込んで圧縮処理や伸長処理が行われ、処理後のデータはメモリ３０に書き込まれる。
【００１５】
シャッタ制御部４０は測光部４６からの測光情報に基づくシステム制御部５０の指令に従い、後述する絞り制御部３４０と連携しながらシャッタ１２を制御する。焦点状態検出部４２は位相差検出を行う検出手段であり、検出情報をシステム制御部５０に送出する。後述の撮影レンズ３１０に入射した光はレンズマウント３０６及び１０６、ミラー１３０、不図示の焦点状態検出用のサブミラーを介して焦点状態検出部４２に入射する。焦点状態検出部４２は、結像した被写体像の合焦状態を測定する。
【００１６】
測光部４６はＡＥ処理を行うための検出手段であり、検出情報をシステム制御部５０に送出する。後述の撮影レンズ３１０に入射した光線は、レンズマウント３０６及び１０６、ミラー１３０及び１３２、そして不図示の測光用レンズを介して測光部４６に入射する。測光部４６は結像した被写体像の露出状態を測定する。また測光部４６は、フラッシュ４８と連携することによりＥＦ処理機能も有する。フラッシュ４８はＡＦ補助光の投光機能、フラッシュ調光機能を有する。
【００１７】
カメラシステム制御部５０（以下、単にシステム制御部という）は、装置本体１００全体を制御する。システム制御部５０は、撮像素子１４が撮像した画像のデータを画像処理部２０によって演算した演算結果に基づき、シャッタ制御部４０、絞り制御部３４０、フォーカス制御部３４２を制御する。システム制御部５０は、自動焦点調節の制御方式として、撮像及び焦点状態検出を行うために可動ミラーを被写体光軸（被写体光の光軸）上に移動させる第１の方式と、可動ミラーを被写体光軸上へ移動させることを要しない第２の方式のいずれかを選択可能である。第１の方式は、例えば位相差検出方式であり、第２の方式は、例えばコントラスト方式である。システム制御部５０は判定結果に基づいてライブビュー画面への遷移時におけるＡＦ動作を制御する。その詳細については後述する。
【００１８】
メモリ５２は、システム制御部５０の動作用の定数、変数、プログラム等を記憶する。
表示部５４は、システム制御部５０によるプログラムの実行に従って、文字や画像で動作状態やメッセージ等を表示する。またスピーカ等の音声出力部を設けてもよい。表示部５４は装置本体１００の操作部近辺の視認し易い場所に設置され、例えばＬＣＤやＬＥＤ、ランプ、発音素子等の組み合わせにより構成される。また表示部５４の一部の表示機能については光学ファインダ１０４内に設けられた表示手段により実現される。表示部５４を構成するＬＣＤ等での表示項目としては、単写／連写撮影表示、記録画素数や記録枚数の表示、記録媒体２００及び２１０の着脱状態表示、レンズユニット３００の着脱状態表示等がある。また光学ファインダ１０４内の表示項目としては、例えば合焦表示、撮影準備完了表示、シャッタスピード表示、絞り値表示、記録媒体書き込み動作表示等がある。ＬＥＤ等での表示項目としては、例えば記録媒体書き込み動作表示等がある。そしてランプ等での表示項目としては、例えばセルフタイマー通知ランプ表示等があり、セルフタイマー通知ランプの光は、ＡＦ補助光と共用してもよい。
不揮発性メモリ５６はデータを電気的に消去及び記録可能であり、例えばＥＥＰＲＯＭ等が用いられる。
【００１９】
システム制御部５０の各種の操作指示を入力するための操作部は、スイッチやダイアル、タッチパネル、視線検知によるポインティング、音声認識装置等で構成される。以下に操作部の具体例を説明する。
・モードダイアルスイッチ６０：撮影モード等を切り換えて選択及び設定するためのスイッチ。
・第１のシャッタスイッチ（以下、ＳＷ１と記す）６２：不図示のシャッタ釦の操作途中でＯＮ状態となり、ＡＦ処理、ＡＥ処理、ＡＷＢ処理、ＥＦ処理等の開始を指示するためのスイッチ。このＳＷ１の操作により自動焦点調節の開始が指示されるとともに当該指示はライブビュー画面以外の表示画面からライブビュー画面へと遷移させるためのトリガーとなる。すなわちユーザは自動焦点調節の開始の指示と、ライブビュー表示への遷移の指示を同一の操作でカメラに指示することができる。
・第２のシャッタスイッチ（以下、ＳＷ２と記す）６４：不図示のシャッタ釦の操作完了でＯＮ状態となり、露光処理の開始を指示するためのスイッチ。該スイッチはさらに、画像処理部２０やメモリ制御部２２での演算を用いた現像処理や、記録媒体２００又は２１０に画像データを書き込む記録処理の開始をカメラに指示する。
・ファインダモード切換スイッチ６６：光学ファインダ（通常撮影モード）及び電子ビューファインダ（ＥＶＦモード）の設定を切り換えるためのスイッチ。通常撮影モードにて撮影者は光学ファインダ１０４を介して被写体を観察でき、ＥＶＦモードでは画像表示部２８を介して被写体を観察できる。
操作部７０は、前記スイッチ以外による操作指示を受け付けるために各種の操作釦やタッチパネル等を有し、各種の設定用釦、切り換え用釦等を含む。例えば操作部７０は、ユーザがメニュー画面の表示を指示するためのメニュー釦を含む。
【００２０】
上述した構成において、ミラー１３０、及び不図示の焦点状態検出用サブミラーは、撮像及び焦点状態検出を行うために被写体光軸上に来ている第１の位置と、被写体光軸上から退避した状態で撮像を行うための第２の位置との間で移動可能な可動ミラーである。つまり、第１の位置では両ミラーがミラーダウン状態であり、第２の位置ではミラーアップ状態であり、２つの状態を選択的にとることができる。ミラーダウン状態では、光学ファインダ１０４及び焦点状態検出部４２に光が導かれ、光学ファインダ１０４を介した被写体の観察と、焦点状態検出部４２による検出が可能である。また、ミラーアップ状態では、ミラー１３０及び不図示のサブミラーが被写体光軸上から退避しており、撮影レンズ３１０からの光が直接、撮像素子１４に到達する。よって、この状態で撮像素子１４の出力に基づいて撮影画像を画像表示部２８に連続表示するライブビューの機能や、撮影が可能である。
【００２１】
電源スイッチ７２は、装置本体１００への電源投入又は遮断を指示するスイッチであり、電源ＯＦＦ時のモード切り換えを設定することができる。電源スイッチ７２の操作により、装置本体１００に接続されたレンズユニット３００、外部ストロボ、記録媒体２００，２１０等の電源オン／オフの設定も可能である。電源制御部８０は、電池の装着の有無、電池の種類、電池残量を検出し、検出結果及びシステム制御部５０の指令に基づいてＤＣ／ＤＣコンバータを制御し、記録媒体を含む各部へ適宜に給電する。電源８６はコネクタ８２，８４を介して電源制御部８０に接続され、一次電池や二次電池、ＡＣアダプタ等が使用される。
【００２２】
インターフェース部（以下、Ｉ／Ｆ部と略記する）９０，９４は、後述する記録媒体２００，２１０との間で情報を送受するための通信部であり、接続用のコネクタ９２及び９６にそれぞれ繋がっている。本例では、記録媒体とのＩ／Ｆ部及びコネクタを２系統持つが、系統数の如何は問わない。また、異なる規格のＩ／Ｆ部及びコネクタを組み合わせた構成でも構わない。或いは各種通信カードを用いて、他のコンピュータ機器や周辺機器との間で画像データや画像データに付属した管理情報を転送し合うことも可能である。
【００２３】
記録媒体着脱検知部９８は記録媒体２００，２１０のカメラ本体への着脱を検知し、検知結果をシステム制御部５０に送出する。
光学ファインダ１０４は、撮影レンズ３１０に入射した光を、一眼レフ方式によって、絞り３１２、レンズマウント３０６及び１０６、ミラー１３０及び１３２を介して導き、光学像を結像表示することができる。撮影者は画像表示部２８によるＥＶＦ機能を用いることなく、光学ファインダ１０４のみで被写体を観察しながら撮影を行える。
【００２４】
通信部１１０は有線通信又は無線通信による通信機能を有し、システム制御部５０に接続されている。コネクタ１１２は通信部１１０により装置本体１００を他の機器と接続し、或いは無線通信の場合にはコネクタの代わりにアンテナが使用される。
Ｉ／Ｆ部１２０は、装置本体１００のシステム制御部５０をレンズユニット３００と繋ぐ通信部である。コネクタ１２２は装置本体１００をレンズユニット３００と電気的に接続し、両者間で制御信号、状態信号、データ信号等を伝え合うと共に、各種電圧の供給機能も備える。また、コネクタ１２２は電気通信のみならず、光通信、音声通信等が可能な構成でもよい。
【００２５】
ミラー１３０，１３２は、撮影レンズ３１０に入射した光を、一眼レフ方式によって光学ファインダ１０４に導く。なお、ミラーについてはクイックリターンミラーやハーフミラーを用いることができる。
記録媒体２００は、半導体メモリや磁気ディスク等から構成される記録部２０２、装置本体１００とのＩ／Ｆ部２０４、装置本体１００との接続用コネクタ２０６を備える。記録媒体２１０も同様の構成を有し、記録部２１２、装置本体１００とのＩ／Ｆ部２１４、装置本体１００との接続用コネクタ２１６を備える。
【００２６】
次に、レンズユニット３００について説明する。図１には撮影レンズ３１０、絞り３１２のみを簡略化して示すが、レンズ光学系は変倍機能を有するズームレンズ群、焦点調節機能を有するレンズ群、固定レンズ群等を含む。撮影レンズ３１０に入射した光は絞り３１２、レンズマウント３０６及び１０６、ミラー１３０、シャッタ１２を介して撮像素子１４に結像する。レンズマウント３０６は、レンズユニット３００を装置本体１００と機械的に結合するとともに、両者を電気的に接続する役目をもつ。
Ｉ／Ｆ部３２０は、レンズユニット３００を装置本体１００と接続する通信部であり、コネクタ３２２を介して装置本体１００のＩ／Ｆ部１２０と接続する。コネクタ３２２は、装置本体１００とレンズユニット３００との間で制御信号、状態信号、データ信号等を伝え合うと共に、各種電圧の供給機能も備えている。また、コネクタ３２２は電気通信のみならず、光通信、音声通信等が可能な構成でもよい。
【００２７】
絞り制御部３４０は、測光部４６からの測光情報に基づくシステム制御部５０の指令に従って、シャッタ制御部４０と連携しながら絞り３１２を制御する。フォーカス制御部３４２は撮影レンズ３１０における焦点調節用レンズを駆動制御する。ズーム制御部３４４は撮影レンズ３１０のズーム駆動を制御する。
レンズシステム制御部３５０はレンズユニット３００全体を制御し、動作用の定数、変数、プログラム等を記憶するメモリを備える。レンズシステム制御部３５０はさらに、レンズユニット３００に固有の番号等の識別情報、管理情報、開放絞り値や最小絞り値、焦点距離等の機能情報、現在や過去の各設定値等を保持する不揮発性メモリとしての機能も有する。
【００２８】
以下、図２のフローチャートを参照して、本発明の第１実施形態の動作について説明する。なお、本処理はシステム制御部５０にて実行されるプログラムに従って実現される。
Ｓ１００１にてライブビュー機能による画面表示処理が行われ、カメラはライブビュー状態にある。次のＳ１００２にて撮影者は操作部７０のメニュー釦を操作し、この操作指示をシステム制御部５０が受け付け、Ｓ１００３に進む。ここで画像表示部２８はメニュー画面の表示状態へと遷移する。ライブビュー画面の表示中にミラー１３０が被写体光軸上から退避した状態でメニュー画面への表示変更が可能である。
【００２９】
Ｓ１００４にてＡＦ開始手段としてシャッタスイッチ６２が操作された場合、つまりＳＷ１がオン状態になると、Ｓ１００５に進む。ここでシステム制御部５０は、ＡＦ開始操作の時点でのＡＦ方式（制御方式）が、ミラー１３０に係るミラーダウン動作を伴う方式であるか否かを判定する。その結果、ＡＦ方式がミラーダウン動作を伴う方式でないと判定された場合、Ｓ１００６に進む。またＡＦ方式がミラーダウン動作を伴う方式であると判定された場合にはＳ１００７に進む。
Ｓ１００６にてシステム制御部５０の指令に従い、画像表示部２８はライブビュー状態に遷移する。その後、Ｓ１００８にてＡＦ制御が行われる。ミラーダウン動作を伴わないＡＦ方式として、例えばコントラスト方式が挙げられる。
【００３０】
一方、ＡＦ方式がミラーダウン動作を伴う方式の場合、Ｓ１００７にてシステム制御部５０の指令に従い、画像表示部２８はライブビュー状態に遷移するが、ＡＦ制御は行わない。ミラーダウン動作を伴うＡＦ方式として、例えば位相差検出方式が挙げられる。
Ｓ１００７やＳ１００８の後、上記一連の処理が終了する。なお本例では、ライブビュー以外の第２の表示画面としてメニュー画面を例に説明したが、表示画面の如何は問わない。つまりライブビューの操作指令によりミラー１３０がミラーアップした状態を維持した状態で遷移可能な表示画面であれば如何なる画面でも構わない。
【００３１】
第１実施形態によれば、スイッチＳＷ１の操作によるライブビュー状態への遷移について、ＡＦ方式がミラーダウンを伴う方式の場合でも、スムーズに実行できる。つまりＡＦ方式が可動ミラーの移動を伴う方式であると判定された場合、可動ミラーを動作させずにライブビュー画面へと遷移可能である。また、ライブビュー画面以外の画面が表示された状態でユーザがスイッチＳＷ１を操作して、ミラーダウンを伴うＡＦの開始指示を行うと、ユーザはＡＦ制御が終了するまで撮影対象を確認できない。従って、本実施形態によれば、ユーザがＡＦの開始指示を行う際に、ライブビュー画面で撮影対象を確認するように促すことができる。
【００３２】
［第２実施形態］
次に本発明の第２実施形態を説明する。なお第２実施形態に係る撮像装置の構成は図１に示す構成と同様であるため、その説明を省略する。
図３のフローチャートを用いて、第２実施形態に係る撮像装置の動作について説明する。なおＳ１１０１乃至１１０６、Ｓ１１０８の処理は図２のＳ１００１乃至１００６、Ｓ１００８の処理と同様であるため、それらの説明を省略し、以下では相違点を中心に説明する。
【００３３】
Ｓ１１０５にてＡＦ方式がミラーダウン動作を伴う方式であると判定された場合、Ｓ１１０７に進み、システム制御部５０はスイッチＳＷ１が押されている操作時間を計測し、操作時間の長さが予め定められた基準値以上であるか否かを判定する。その結果、ＳＷ１の操作時間の長さが基準値未満であると判定された場合、Ｓ１１０９に進むが、操作時間の長さが基準値以上であると判定された場合には、Ｓ１１１０に進む。
スイッチＳＷ１の操作時間が短い場合、ユーザはミラーダウン動作を伴う方式のＡＦ制御を行う意思がないと判断され、Ｓ１１０９にて画像表示部２８はライブビュー状態へ遷移した後、処理が終了する。
【００３４】
一方、スイッチＳＷ１の操作時間が所定時間以上に長い場合、ユーザはミラーダウン動作を伴う方式のＡＦ制御を行う意思を有すると判断され、Ｓ１１１０にてミラーダウン動作が行われる。そしてＳ１１１１に進んでＡＦ制御が行われた後、Ｓ１１１２にてシステム制御部５０は合焦動作の成否を判定する。未だ合焦していない場合、再びＳ１１１１に戻ってＡＦ制御が続行される。また合焦に成功した場合、Ｓ１１１３に進み、画像表示部２８はライブビュー状態へ遷移した後、処理が終了する。
【００３５】
第２実施形態では、第１の実施形態の効果に加えて、スイッチＳＷ１の操作により、メニュー画面からライブビュー状態へと遷移させるか、あるいはミラーダウン動作を伴う方式のＡＦ制御を行うかを、ユーザの意思で変更することができるので操作性が向上する。ミラーダウン動作を伴う方式の場合、ＳＷ１の操作時間が長いとミラーダウン動作及びＡＦ制御が行われるので、ユーザはＡＦ開始を装置へ確実に指示できる。またＳＷ１の操作時間が短い場合、ミラーダウン動作及びＡＦ制御は行われず、よって操作の度にミラーが動作しないように防止できる。
また本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３６】
１４  撮像素子
２８  画像表示部
４２  焦点状態検出部
５０  カメラシステム制御部
６２  シャッタスイッチＳＷ１
１００  撮像装置
１３０  ミラー（可動ミラー）
３００  レンズユニット
３１０  撮影レンズ
３４２  フォーカス制御部
３５０  レンズシステム制御部
【図１】
2011114534.tif 000003
【図２】
2011114534.tif 000004
【図３】
2011114534.tif 000005